(57)【要約】      （修正有）【課題】構造強度を高めて、使用の安全化と寿命延長を実現する、オゾン洗浄機を提供する。【解決手段】少なくとも一つの導電体２と、少なくとも一つの強化ケース体１と、少なくとも一つの把持部３と、少なくとも一つの給電装置４と、少なくとも一つのスイッチ５とからなる。導電体２は、電力を導通するとともに金属素材からなる。更に強化ケース体１には、射出成形によって導電体２一端が内部に埋設される。これにより、導電体２表面と強化ケース体１が緊密に接し合うことで空気が排除されて真空状態になる。加えて、強化ケース体１は、ポリカーボネートからなることで構造強度が高まる。また把持部３は、導電体２における強化ケース体１から離れた一端に設けられるとともに、把持部３は強化ケース体１と接続されて共に導電体２を覆い包むことで安全性を高める。給電装置４は、把持部３内に設けられる。【選択図】図３
0003204285.tif 000002
【実用新案登録請求の範囲】
【請求項１】
電力を導通させる少なくとも一つの導電体と、少なくとも一つの強化ケース体とからなる、オゾン洗浄機であって、
前記強化ケース体には、射出成形によって前記導電体一端が内部に埋設されることにより、前記導電体表面と前記強化ケース体は緊密に接し合い、
更に、前記電力は、オゾンを生じさせるために、前記導電体を経由して前記強化ケース体をブレークダウンすることを特徴とする、オゾン洗浄機。
【請求項２】
更に、前記強化ケース体は、構造強度を高めるために、ポリカーボネート（Ｐｏｌｙｃａｒｂｏｎａｔｅ、ＰＣ）からなり、
前記導電体は、金属素材からなり、
前記電力は、高電圧・低電流の電力であることを特徴とする、請求項１に記載のオゾン洗浄機。
【請求項３】
更に、前記導電体における前記強化ケース体から離れた一端には、少なくとも一つの把持部が設けられ、
前記把持部は、前記強化ケース体と接続されて共に前記導電体を覆い包むとともに、
前記把持部内には、前記導電体一端と導通した少なくとも一つの給電装置が設けられ、
前記給電装置は、前記電力を提供するために作動し、
前記把持部上には、少なくとも一つのスイッチが設けられ、
前記スイッチは、前記給電装置の作動を制御するために、前記給電装置と電気的に接続されることを特徴とする、請求項１に記載のオゾン洗浄機。
【請求項４】
更に、前記電力は、前記強化ケース体と使用者の間にオゾンが生じるように、前記導電体を経由して前記強化ケース体をブレークダウンすることによって使用者と導通することを特徴とする、請求項１に記載のオゾン洗浄機。
【考案の詳細な説明】
【技術分野】
【０００１】
本考案は、オゾン洗浄機に関し、特に、構造強度を高めて、使用の安全化と使用寿命の延長が可能な、オゾン洗浄機に関する。
【背景技術】
【０００２】
図１を参照する。図は、従来のオゾン洗浄機の構造を示した概略図である。従来のオゾン洗浄機には、ガラス管体９１が設けられるとともに、ガラス管体９１内には中空部９１１が形成され、且つ中空部９１１には放電柱９２が設けられ、更に中空部９１１は封止された真空状態を呈する。しかし実際の使用において、ガラス管体９１は操作や取扱い時の不注意等が原因となって衝撃を受け易く、且つガラス管体９１自体の構造強度には限界がある。加えて、中空部９１１の真空排気で生じた圧力は持続的にガラス管体９１を圧迫するため、ガラス管体９１の破裂粉砕が生じることがよくある。よって、使用者が操作や収納・携帯時に細心の注意を払わなければならず不便であるだけでなく、使用寿命を長持ちさせることも難しい。更に、破裂粉砕したガラス管体９１は、使用者に害を与える可能性があり、非常に危険である。
【考案の概要】
【考案が解決しようとする課題】
【０００３】
よって本考案は、構造強度の強化によって使用を安全化することが出来る、オゾン洗浄機を提供することを目的とする。
【０００４】
また本考案は、構造強度の強化によって各種の破損原因を減らすことが出来る、オゾン洗浄機を提供することを目的とする。
【課題を解決するための手段】
【０００５】
上述の目的を達成するため、本考案には、少なくとも一つの強化ケース体が設けられるとともに、強化ケース体内部には少なくとも一つの導電体が埋設され、且つ強化ケース体は射出成形によってなることで導電体表面と緊密に接し合う。更に、導電体一端は、強化ケース体から突出するとともに、導電体における強化ケース体から突出した一端は、少なくとも一つの給電装置と導通する。よって本考案は、強化ケース体自体の強度と、強化ケース体と導電体表面が緊密に接し合うことによって、構造強度を大幅に向上させるとともに、効果的に破裂粉砕を減らすことが出来る。よって、使用者の操作・携帯がより安心便利になるとともに、使用寿命が延長される。更に、本考案を使用する際、給電装置が導電体に電力を伝送するとともに、電力が強化ケース体をブレークダウンして使用者と導通することにより、強化ケース体と使用者の間の空気がオゾンを生じ、これにより洗浄効果が得られる。以上の技術により、従来のオゾン洗浄機における問題点、即ち、破裂粉砕し易く使用者に不便や危険を招き、且つ使用寿命に限りがあるという問題点を解決するとともに、構造強度を高めて使用の安全化と使用寿命の延長という実用進歩性を達成する。
【図面の簡単な説明】
【０００６】
【図１】従来のオゾン洗浄機の構造を示した概略図である。
【図２】本考案の実施例１を示した斜視図である。
【図３】本考案の図２のＡ−Ａ線における断面図である。
【図４】本考案の実施例の使用を示した概略図である。
【図５】本考案の実施例２を示した斜視図である。
【図６】本考案の図５のＢ−Ｂ線における断面図である。
【考案を実施するための形態】
【０００７】
（実施例１）
図２、及び図３を参照する。図は、本考案の実施例１を示した斜視図、及び図２のＡ−Ａ線における断面図である。本考案は、少なくとも一つの導電体２と、少なくとも一つの強化ケース体１と、少なくとも一つの把持部３と、少なくとも一つの給電装置４と、少なくとも一つのスイッチ５とからなる。導電体２は、電力を導通するとともに金属素材からなる。更に強化ケース体１には、射出成形によって導電体２一端が内部に埋設される。これにより、導電体２表面と強化ケース体１が緊密に接し合うことで空気が排除されて真空状態になる。加えて、強化ケース体１は、ポリカーボネート（Ｐｏｌｙｃａｒｂｏｎａｔｅ、ＰＣ）からなることで構造強度が高まる。
【０００８】
また把持部３は、導電体２における強化ケース体１から離れた一端に設けられるとともに、把持部３は強化ケース体１と接続されて共に導電体２を覆い包むことで安全性を高める。給電装置４は、把持部３内に設けられるとともに導電体２一端と導通し、且つ給電装置４は高電圧・低電流の電力を提供することで、誤って人体を傷つけてしまうことを防止する。スイッチ５は、把持部３上に設けられるとともに、給電装置４と電気的に接続されて給電装置４の作動を制御する。尚、上述は、本考案の実施形態の一例にすぎず、実施形態はこれに限られない。
【０００９】
図２から図４までを合わせて参照する。図はそれぞれ、本考案の実施例１を示した斜視図、図２のＡ−Ａ線における断面図、使用を示した概略図である。前述したように本考案は、強化ケース体１によって構造強度を高めるとともに、強化ケース体１が導電体２表面と緊密に接し合うことにより、衝撃力を分散させ且つ構造強度を強化する。これにより、強化ケース体１が破裂粉砕することを減少させる。
【００１０】
また、本考案を使用する際、まず強化ケース体１を使用者に近づけるとともに、スイッチ５を操作することで、給電装置４が導電体２に電力を伝送する。前記電力は強化ケース体１をブレークダウンして使用者と導通する。この時、使用者と強化ケース体１の間の空気は、電力の影響を受けてオゾンを生じる。これにより、オゾンによって洗浄効果が得られる。しかし、使用されているのは高電圧・低電流の電力であるため、人体に害をなすことはない。このほか、強化ケース体１が使用者に近接していない場合には、スイッチ５を操作したとしても電力が導通することはなく、オゾンも生じない。これにより、使用者が誤って過剰なオゾンを生じさせて危険を招くことを防止する。
【００１１】
（実施例２）
図５、及び図６を参照する。図は、本考案の実施例２を示した斜視図、及び図５のＢ−Ｂ線における断面図である。本実施例は、前述した実施例とほぼ同等である。異なる点は、導電体２ａ及び強化ケース体１ａの形状の違いである。このように、本考案は自由且つ幅広い応用が可能である。
【００１２】
以上により、本考案のオゾン洗浄機は、以下の点において従来技術を改善することが出来る。
１、強化ケース体１及び導電体２が組合されて共に構造強度を高めることにより、本考案は、使用・収納・携帯のいずれも気軽且つ安全に行うことが出来るという、実用進歩性を達成する。
２、強化ケース体１及び導電体２が組合されて共に構造強度を高めることにより、本考案は、使用寿命を延長させるという、実用進歩性を達成する。
【符号の説明】
【００１３】
（従来技術）
９１    ガラス管体
９１１    中空部
９２    放電柱
（本考案）
１    強化ケース体
１ａ    強化ケース体
２    導電体
２ａ    導電体
３    把持部
４    給電装置
５    スイッチ
【図１】
0003204285.tif 000003
【図２】
0003204285.tif 000004
【図３】
0003204285.tif 000005
【図４】
0003204285.tif 000006
【図５】
0003204285.tif 000007
【図６】
0003204285.tif 000008